(57)【特許請求の範囲】
【請求項１】
所定の厚みを有し、所定の熱抵抗率からなり、互いに対向する第１主面と第２主面とを備える断熱体と、
該断熱体の前記第１主面に配置された第１温度検出手段と、
前記断熱体の前記第２主面に配置された第２温度検出手段と、
前記第１温度検出手段に接続されており、前記第１温度検出手段が発する第１検出信号を送信する第１アンテナと、
前記第２温度検出手段に接続されており、前記第２温度検出手段が発する第２検出信号を送信する第２アンテナと、を備え、
前記第１アンテナと前記第２アンテナは、前記断熱体の厚み方向に平行な方向に所定距離離間した状態で、前記厚み方向に平行な方向に見て、アンテナ形成領域の少なくとも一部が重なって配置されている、無線式温度計。
【請求項２】
所定の厚みを有し、所定の熱抵抗率からなり、互いに対向する第１主面と第２主面とを備える断熱体と、
該断熱体の前記第１主面に配置された第１温度検出手段と、
前記断熱体の前記第２主面に配置された第２温度検出手段と、
前記第１温度検出手段に接続されており、前記第１温度検出手段が発する第１検出信号を送信する第１アンテナと、
前記第２温度検出手段に接続されており、前記第２温度検出手段が発する第２検出信号を送信する第２アンテナと、を備え、
前記第１アンテナと前記第２アンテナは、前記第１主面および前記第２主面に平行な略同一な面上に近接して配置されている、無線式温度計。
【請求項３】
前記第１温度検出手段と前記第１アンテナとを接続する第１引き回し導体、または、前記第２温度検出手段と前記第２アンテナを接続する第２引き回し導体の少なくとも一方は、少なくとも１つの屈曲する屈曲部を備え、
前記屈曲部は、折り曲げにより前記第１温度検出手段と前記第２温度検出手段とが、前記第１アンテナおよび前記第２アンテナが配置される基材または断熱体の平面に直交する方向から見て重なる形状である、請求項１または請求項２に記載の無線式温度計。
【請求項４】
前記第１引き回し導体または前記第２引き回し導体は、少なくとも折り曲げによって重なる部分が絶縁層によって挟持されている、請求項３に記載の無線式温度計。
【請求項５】
前記折り曲げによって重なる部分は、前記基材における前記第１引き回し導体または前記第２引き回し導体が形成される面と反対側の面が当接している、請求項３または請求項４に記載の無線式温度計。
【請求項６】
前記折り曲げによって重なる部分は、溶着または接着されている請求項３乃至請求項５のいずれか１項に記載の無線式温度計。
【請求項７】
前記基材のおける前記第１引き回し導体または前記第２引き回し導体の折り曲げ部の位置には、切り込みまたは凹部が形成されている、請求項３乃至請求項６のいずれか１項に記載の無線式温度計。
【請求項８】
前記折り曲げ部は、熱により変形する材質からなる、請求項３乃至請求項７のいずれか１項に記載の無線式温度計。
【請求項９】
前記第１アンテナおよび前記第２アンテナは、前記断熱体の厚み方向に略直交する面上に巻回状に形成されている、請求項１乃至請求項８のいずれか１項に記載の無線式温度計。
【請求項１０】
前記第１温度検出手段と前記第２温度検出手段は、前記第１アンテナおよび前記第２アンテナを介して入力された無線信号で動作し、検出した温度に応じた前記第１検出信号および前記第２検出信号を発生する、請求項１乃至請求項９のいずれか１項に記載の無線式温度計。
【請求項１１】
前記第１アンテナと前記第２アンテナは、それぞれ異なる基材に形成されている、請求項１乃至請求項１０のいずれか１項に記載の無線式温度計。
【請求項１２】
前記第１アンテナと前記第２アンテナは、単一の基材に形成されている、請求項１乃至請求項１０のいずれか１項に記載の無線式温度計。
【請求項１３】
前記第１アンテナと前記第２アンテナは、前記単一の基材の対向する面にそれぞれ形成されている、請求項１２に記載の無線式温度計。
【請求項１４】
前記第１アンテナと前記第２アンテナは、前記単一の基材の一方面に形成されている、請求項１２に記載の無線式温度計。
【請求項１５】
前記第１アンテナと前記第２アンテナは、どちらかがどちらかを内包するように配置されている、請求項１４に記載の無線式温度計。
【請求項１６】
前記第１アンテナの放射部の形状と、前記第２アンテナの放射部の形状とは、略同じである、請求項１乃至請求項１５のいずれか１項に記載の無線式温度計。
【請求項１７】
前記第１温度検出手段および前記第２温度検出手段の少なくとも一方は、複数配置されており、温度検出手段毎にアンテナが形成されている、請求項１乃至請求項１６のいずれか１項に記載の無線式温度計。
【請求項１８】
複数配置される温度検出手段にそれぞれ接続するアンテナは、前記断熱体の厚み方向に沿って見て近接する位置に配置されている、請求項１７に記載の無線式温度計。
【請求項１９】
前記第１温度検出手段と前記第２温度検出手段は、温度によって共振周波数が変化する共振子である、請求項１乃至請求項１８のいずれかに１項に記載の無線式温度計。
【請求項２０】
前記共振子は水晶振動子である、請求項１９に記載の無線式温度計。
【請求項２１】
前記第１温度検出手段と前記第２温度検出手段は、温度センサを備えるＲＦＩＤ−ＩＣである、請求項１乃至請求項１８のいずれかに１項に記載の無線式温度計。
【請求項２２】
被検温体の検温部に装着する装着手段を備え、前記被検温体の深部体温を測定する深部体温計である、請求項１乃至請求項２１のいずれか１項に記載の無線式温度計。
【発明の詳細な説明】
【技術分野】
【０００１】
本発明は、被検温物の温度によって定まる物理量を測定して当該物理量を外部装置に無線送信する無線式温度計に関する。
【背景技術】
【０００２】
従来、物体の表面温度のみでなく、物体の深部温度を測定する深部温度測定装置が各種考案されている。その一つとして、特許文献１に示す深部温度測定装置がある。特許文献１に示す深部温度測定装置は、被検温物の表面に装着される第１の温度センサ（表面側温度センサ）群と、被検温物の表面から所定距離離間した位置に配置された第２の温度センサ温度（外気側温度センサ）群とを備える。【０００３】
第１の温度センサ群と第２の温度センサ群との間には、所定厚みの断熱体が配置されている。【０００４】
特許文献１に示す深部温度測定装置は、第１の温度センサ群を構成する温度センサで測定した温度と、第２の温度センサ群を構成する温度センサで測定した温度との差から、被検温物の深部温度を測定している。【０００５】
各温度センサには、アンテナが接続されており、測定した温度を、アンテナから外部へ無線通信している。
【先行技術文献】
【特許文献】
【０００６】
【特許文献１】特開２００７−３１５９１７号公報
【発明の概要】
【発明が解決しようとする課題】
【０００７】
しかしながら、上述の特許文献１に示す深部温度測定装置では、第１の温度センサ群と第２の温度センサ群に含まれる複数の温度センサが、電極パターンによって物理的に単一のアンテナに接続される構造が用いられている。このため、複数の温度センサが電極パターンで接続されてしまう。【０００８】
したがって、被検温物表面から外部へ熱が伝導する際に、第１の温度センサ群と第２の温度センサ群の間に配置された断熱材のみでなく、電極パターンを介しても熱伝導してしまう。これにより、深部温度の測定精度が低下してしまう。【０００９】
また、温度計を小さく形成しようとした場合、アンテナの形状が小さくなる。例えば、アンテナを巻回形で形成する場合、巻き数が少なくなってしまう。このため、測定結果（測定温度等）を、外部へ通信できる距離が短くなってしまう。【００１０】
本発明の目的は、高精度に深部温度を測定し、且つ通信距離を向上した無線式体温計を実現することにある。
【課題を解決するための手段】
【００１１】
この発明の無線式温度計は、所定の厚みを有し所定の熱抵抗率からなり互いに対向する第１主面と第２主面とを備える断熱体と、断熱体の第１主面に配置された第１温度検出手段と、断熱体の第２主面に配置された第２温度検出手段と、第１温度検出手段に接続し第１温度検出手段が発する第１検出信号を送信する第１アンテナと、第２温度検出手段に接続し第２温度検出手段が発する第２検出信号を送信する第２アンテナと、を備える。第１アンテナと第２アンテナは、断熱体の厚み方向に平行な方向に所定距離離間した状態で、厚み方向に平行な方向に見て、アンテナ形成領域の少なくとも一部が重なって配置されている。【００１２】
この構成では、第１温度検出手段と第２温度検出手段とが個別にアンテナを備え、断熱体を挟んで配置される。これにより、第１温度検出手段が被検温物側とした場合に、第１温度検出手段から第２温度検出手段との間の熱伝導は、断熱体を介し電極を介さない。これにより、第１温度検出手段と第２温度検出手段との間の温度差が、電極による熱伝導の影響を受けないため、深部温度に応じた正確な温度差を得ることができる。また、第１アンテナと第２アンテナとが厚み方向に平行な方向に見て、アンテナ形成領域の一部が重なっていることで、第１アンテナと第２アンテナとが磁界結合し、通信距離を延ばすことができる。【００１３】
また、この発明の無線式温度計は、所定の厚みを有し所定の熱抵抗率からなり互いに対向する第１主面と第２主面とを備える断熱体と、断熱体の第１主面に配置された第１温度検出手段と、断熱体の第２主面に配置された第２温度検出手段と、第１温度検出手段に接続し第１温度検出手段が発する第１検出信号を送信する第１アンテナと、第２温度検出手段に接続し第２温度検出手段が発する第２検出信号を送信する第２アンテナと、を備える。第１アンテナと第２アンテナは、第１主面および前記第２主面に平行な略同一な面上に近接して配置されている。【００１４】
この構成では、第１アンテナと第２アンテナとが略同一平面の近接位置に配置されることで、第１アンテナと第２アンテナとが磁界結合し、通信距離を延ばすことができる。【００１５】
また、この発明の無線式温度計では、次の構成であることが好ましい。第１温度検出手段と第１アンテナとを接続する第１引き回し導体、または、第２温度検出手段と第２アンテナを接続する第２引き回し導体の少なくとも一方は、少なくとも１つの屈曲する屈曲部を備える。屈曲部は、折り曲げにより第１温度検出手段と第２温度検出手段とが平面に直交する方向から見て重なる形状となるように形成されている。【００１６】
この構成では、第１温度検出手段と第２温度検出手段の少なくとも一方の平面視した位置（断熱体の厚み方向に直交する平面で見た位置）を移動させることができる。これにより、第１温度検出手段と第２温度検出手段とを、断熱体の厚み方向に沿って重なる位置に、容易に配置することができる。【００１７】
また、この発明の無線式温度計では、第１引き回し導体または第２引き回し導体は、少なくとも折り曲げによって重なる部分が絶縁層によって挟持されていることが好ましい。【００１８】
この構成では、第１引き回し導体または第２引き回し導体を折り曲げても、導体同士の短絡を防止できる。これにより、確実に無線式温度計を動作させることができる。【００１９】
また、この発明の無線式温度計では、折り曲げによって重なる部分は、基材における第１引き回し導体または第２引き回し導体が形成される面と反対側の面が当接しているようにしてもよい。【００２０】
この構成では、折り曲げられた導体間に基材が介在するので、導体同士の短絡を防止できる。【００２１】
また、この発明の無線式温度計では、折り曲げによって重なる部分は、溶着または接着されていることが好ましい。【００２２】
この構成では、折り曲げた先の部分を固定することができる。これにより、無線式温度計の形状を固定化できる。また、無線式温度計を組み立てる際の組み立て効率を向上させることができる。【００２３】
また、この発明の無線式温度計では、基材のおける第１引き回し導体または第２引き回し導体の折り曲げ部の位置に切り込みまたは凹部が形成されていることが好ましい。【００２４】
この構成では、第１引き回し導体または第２引き回し導体を、折り曲げる箇所で容易に折り曲げることができる。【００２５】
また、この発明の無線式温度計では、折り曲げ部は、熱により変形する材質からなっていてもよい。【００２６】
この構成では、熱によって容易に折り曲げることができる。【００２７】
また、この発明の無線式温度計では、第１アンテナおよび第２アンテナは、断熱体の厚み方向に略直交する面上に巻回状に形成されていてもよい。【００２８】
この構成では、第１アンテナおよび第２アンテナの具体的な形状例を示している。この場合、磁界結合型のアンテナを実現することができる。【００２９】
また、この発明の無線式温度計では、第１温度検出手段と第２温度検出手段は、第１アンテナおよび第２アンテナを介して入力された無線信号で動作し、検出した温度に応じた第１検出信号および第２検出信号を発生するものであることが好ましい。【００３０】
この構成では、第１温度検出手段と第２温度検出手段を動作させる電源が必要ない。これにより、無線式温度計を小さくすることができる。【００３１】
また、この発明の無線式温度計では、第１アンテナと第２アンテナは、それぞれ異なる基材に形成されていてもよい。【００３２】
この構成では、基材に対する第１アンテナと第２アンテナの具体的な形成態様の一例を示している。この構成とすれば、第１アンテナとが個別の基材で形成されるため、例えば、一方のアンテナに不具合が生じたとしても、当該一方のアンテナのみを修復もしくは取り替えればよい。【００３３】
また、この発明の無線式温度計では、第１アンテナと第２アンテナは、単一の基材に形成されていてもよい。【００３４】
この構成では、第１アンテナと第２アンテナが単一の基材に形成されることで、無線式温度計の構成要素を簡素化できる。【００３５】
また、この発明の無線式温度計では、第１アンテナと第２アンテナは、単一の基材の対向する面にそれぞれ形成されていてもよい。【００３６】
この構成では、単一基材に第１アンテナと第２アンテナとを形成することで、それぞれのアンテナの形成領域が干渉しない。これにより、第１アンテナおよび第２アンテナおよびこれらに接続する引き回し導体の設計自由度が向上する。【００３７】
また、この発明の無線式温度計では、第１アンテナと第２アンテナは、単一の基材の一方面に形成されていてもよい。【００３８】
この構成では、単一基材の片面に第１アンテナと第２アンテナが形成されるので、製造が容易になる。【００３９】
また、この発明の無線式温度計では、第１アンテナと第２アンテナは、どちらかがどちらかを内包するように配置されていてもよい。【００４０】
この構成では、第１アンテナの第２アンテナとの具体的な位置関係の一例を示している。【００４１】
また、この発明の無線式温度計では、第１アンテナの放射部の形状と、第２アンテナの放射部の形状とは、略同じであることが好ましい。【００４２】
この構成では、第１アンテナと外部アンテナとの結合度、および、第２アンテナと外部アンテナとの結合度を略同じにすることができる。【００４３】
また、この発明の無線式温度計では、第１温度検出手段および第２温度検出手段の少なくとも一方は、複数配置されており、温度検出手段毎にアンテナが形成されていることが好ましい。【００４４】
この構成では、複数箇所で深部温度を測定できるので、これらを用いて、より高精度な深部温度を算出することができる。【００４５】
また、この発明の無線式温度計では、複数配置される温度検出手段にそれぞれ接続するアンテナは、断熱体の厚み方向に沿って見て近接する位置に配置されていることが好ましい。【００４６】
この構成では、同じ平面上で近接するアンテナ同士も磁界結合し、より送信範囲を広くすることができる。【００４７】
また、この発明の無線式温度計では、第１温度検出手段と第２温度検出手段は、温度によって共振周波数が変化する共振子であることが好ましい。また、この発明の無線式温度計では、共振子は水晶振動子であってもよい。また、この発明の無線式温度計では、第１温度検出手段と第２温度検出手段は、温度センサを備えるＲＦＩＤ−ＩＣであってもよい。【００４８】
これらの構成では、第１温度検出手段と第２温度検出手段の具体例を示している。【００４９】
また、この発明の無線式温度計は、被検温体の検温部に装着する装着手段を備え、被検温体の深部体温を測定する深部体温計であってもよい。【００５０】
この構成では、無線式温度計の具体的な使用態様を示している。
【発明の効果】
【００５１】
この発明によれば、高精度に深部体温を測定し、且つ通信距離の長い無線式温度計を実現できる。
【図面の簡単な説明】
【００５２】
【図１】本実施形態に係る無線式温度計１０の構成を示す図である。
【図２】本実施形態に係る無線式温度測定システム１の主要回路構成を示すブロック図である。
【図３】本発明の第２の実施形態に係る無線式温度計１０Ａの構成を示す図である。
【図４】本発明の第３の実施形態に係る無線式温度計１０Ｂの構成を示す図である。
【図５】本発明の第４の実施形態に係る無線式温度計のベース部材１０ＣＦの構成を示す図である。
【図６】本発明の第４の実施形態に係る無線式温度計１０Ｃの構成を示す図である。
【図７】本発明の第５の実施形態に係る無線式温度計のベース部材１０ＣＦ’の構成を示す図である。
【図８】本発明の第６の実施形態に係る無線式温度計のベース部材１０ＣＦ”，無線式温度計１０Ｃ” ，無線式温度計１０ＣＣの構成を示す図である。
【図９】本発明の第７の実施形態に係る無線式温度計のベース部材１０ＤＦの構成を示す図である。
【図１０】本発明の第７の実施形態に係る無線式温度計１０Ｄの側面断面図である。
【図１１】本発明の第８の実施形態に係る無線式温度計のベース部材１０ＥＦの構成を示す図である。
【図１２】本発明の第８の実施形態に係る無線式温度計１０Ｅの構成を示す図である。
【図１３】本発明の第９の実施形態に係る無線式温度計のベース部材１０ＦＦの構成を示す図である。
【図１４】本発明の第１０の実施形態に係る無線式温度計のベース部材１０ＧＦの構成を示す図である。
【発明を実施するための形態】
【００５３】
本発明の第１の実施形態に係る無線式温度計について、図を参照して説明する。本実施形態では、磁界結合により無線式温度計１０と携帯型親端末９０とで通信を行う場合を示す。なお、通信様式は、磁界結合に限らず、電界結合や電波等、その他の無線通信方式によるものであってもよい。図１は本実施形態に係る無線式温度計１０の構成を示す図である。図１（Ａ）は上面断熱体６１１を省略した状態での上面図、図１（Ｂ）は図１（Ａ），（Ｃ）のＡ−Ａ’面断面図、図１（Ｃ）は下面断熱体６１２を省略した状態での下面図である。
【００５４】
無線式温度計１０は、可撓性、絶縁性を有するとともに、所定の熱抵抗率ρＴを有する断熱体５００を備える。断熱体５００は、平面視して（上面側もしくは下面側から見て）円形であり、所定の厚みＤを有する。断熱体５００は、被検温物の熱抵抗率と略同じ熱抵抗率ρＴの材質を用いている。
【００５５】
断熱体５００の下面側には、下面断熱体６１２が配置されている。下面断熱体６１２は、可撓性、絶縁性を有し、断熱体５００よりも薄く形成されている。下面断熱体６１２は、平面視した形状が円形であり、当該平面視した面積が断熱体５００よりも広い。下面断熱体６１２は、平面視して、当該下面断熱体６１２の中心と断熱体の５００の中心とが略一致するように、断熱体５００に取り付けられている。これにより、下面断熱体６１２は、平面視して、断熱体５００の外周から所定範囲ではみ出す形状となっている。
【００５６】
水晶振動子１１２は、下面断熱体６１２の断熱体５００が当接する面に配置されている。水晶振動子１１２は、感知温度に応じて所定の共振周波数ｆｐ２で共振する素子であり、本発明の「第２温度検出手段」に相当する。水晶振動子１１２は、下面断熱体６１２を平面視して、略中央に配置されている。
【００５７】
アンテナ３１０は、下面断熱体６１２の水晶振動子１１２が配置された面に配置されている。アンテナ３１０は、本発明の「第２アンテナ」に相当する。アンテナ３１０は、巻回導体３１１と引き回し導体３１２とからなる。巻回導体３１１は、下面断熱体６１２の外周に沿って巻回する形状の導体であり、下面断熱体６１２の外周付近に形成されている。巻回導体３１１の径および巻回数は、水晶振動子１１２の共振周波数帯域、必要とするインダクタンス、利用可能な導体の形成範囲に基づいて適宜設定されている。例えば、図１では、巻回導体３１１は、２周回している。
【００５８】
巻回導体３１１の両端は、下面断熱体６１２の外周と中心とを結ぶように引き回された引き回し導体３１２によって、水晶振動子１１２に接続されている。なお、巻回導体３１１と引き回し導体３１２の接続部付近では、厚み方向に沿って導体が重なる箇所が存在するが、例えばこの箇所には導体間に薄い絶縁膜を配置すればよい。
【００５９】
なお、下面断熱体６１２は、水晶振動子１１２の表面（断熱体５００に当接する面と反対側の面）が外部へ露出するようにするとよい。また、下面断熱体６１２の表面は、例えば粘着性があるとよい。
【００６０】
断熱体５００の上面側には、上面断熱体６１１が配置されている。上面断熱体６１１は、可撓性、絶縁性を有し、断熱体５００よりも薄く形成されている。上面断熱体６１１は、平面視した形状が円形であり、当該平面視した面積が断熱体５００よりも広い。上面断熱体６１１は、平面視して、当該上面断熱体６１１の中心と断熱体の５００の中心とが略一致するように、断熱体５００に取り付けられている。上面断熱体６１１は、断熱体５００の側面および下面断熱体６１２の断熱体５００側の面の全面を覆う形状で形成されている。これにより、断熱体５００の外周から所定範囲ではみ出す領域では、上面断熱体６１１と下面断熱体６１２とが断熱体５００を介さずに、対向している。この領域には、上面断熱体６１１と下面断熱体６１２との間に絶縁層６６１が配置されている。
【００６１】
水晶振動子１１１は、上面断熱体６１１の断熱体５００が当接する面に配置されている。水晶振動子１１１は、感知温度に応じて所定の共振周波数ｆｐ１で共振する素子であり、本発明の「第１温度検出手段」に相当する。水晶振動子１１１は、上面断熱体６１１を平面視して、略中央に配置されている。これにより、水晶振動子１１１と水晶振動子１１２は、断熱体５００（無線式温度計１０）を平面視して、言い換えれば、断熱体５００の厚み方向に沿って、重なって配置されている。
【００６２】
アンテナ２１０は、上面断熱体６１１の水晶振動子１１１が配置された面に配置されている。アンテナ２１０は、本発明の「第１アンテナ」に相当する。アンテナ２１０は、巻回導体２１１と引き回し導体２１２とからなる。巻回導体２１１は、上面断熱体６１１の外周に沿って巻回する形状の導体であり、上面断熱体６１１の外周付近に形成されている。巻回導体２１１の径および巻回数は、水晶振動子１１１の共振周波数帯域、必要とするインダクタンス、利用可能な導体の形成範囲に基づいて適宜設定されている。例えば、図１では、巻回導体２１１は、２周回している。この際、巻回導体２１１は、絶縁層６６１を介して巻回導体３１１と略対象になるように配置されている。
【００６３】
このような構成において、水晶振動子１１１の共振周波数と水晶振動子１１２の共振周波数とを略一致させる。これにより、アンテナ２１０の巻回導体２１１の形状と、アンテナ３１０の巻回導体３１１の形状とを略一致させることができる。
【００６４】
そして、このように、巻回導体２１１の形状と巻回導体３１１の形状とが略一致することにより、図１に示すように、巻回導体２１１と巻回導体３１１とは、無線式温度計１０を平面視して略重なるように、配置することができる。さらに、アンテナ２１０と外部のアンテナ（例えば、後述する親機側アンテナ９４）の結合度と、アンテナ３１０と外部のアンテナ（例えば、後述する親機側アンテナ９４）の結合度とを略同じにすることができる。さらに、アンテナ２１０および水晶振動子１１１により形成される閉回路とアンテナ３１０および水晶振動子１１２により形成される閉回路の共振周波数が略一致して、これらのアンテナが結合しやすくなる。
【００６５】
巻回導体２１１の両端は、上面断熱体６１１の外周と中心とを結ぶように引き回された引き回し導体２１２によって、水晶振動子１１１に接続されている。なお、巻回導体２１１と引き回し導体２１２の接続部付近では、厚み方向に沿って導体が重なる箇所が存在するが、例えばこの箇所には導体間に薄い絶縁膜を配置すればよい。
【００６６】
本実施形態の構成を用いることで、水晶振動子１１１と水晶振動子１１２とは、導体で接続されていない。これにより、水晶振動子１１２を被検温物側とし、水晶振動子１１１を外気側として深部温度を測定する場合、被検温物からの熱は、水晶振動子１１１と水晶振動子１１２との間では断熱体５００のみによって伝搬される。これにより、水晶振動子１１１の感知温度と水晶振動子１１２の感知温度と温度差が、導体に影響されず、断熱体５００のみに依存する。これにより、当該断熱体５００の物性を用いて深部温度を測定する際に、高精度に深部温度を測定することができる。
【００６７】
また、本実施形態の構成を用いることで、薄い絶縁層６６１を介してアンテナ２１０，３１０が平面視して重なり合う構造を用いることで、アンテナ２１０の巻回導体２１１とアンテナ３１０の巻回導体３１１とが磁界結合し、送受信距離を長くすることができる。
【００６８】
なお、本実施形態では、アンテナ２１０と３１０は平面視して重なっているが、この構造に限るものではない。第１のアンテナと第２のアンテナは、平面視した状態で少なくとも一部が重なっていれば、本発明の効果は十分に得られる。
【００６９】
このような無線式温度計１０は、具体的に、次の構成からなる携帯型親端末９０とともに、無線式の深部温度測定システムを構成する。図２は本実施形態に係る無線式温度測定システム１の主要回路構成を示すブロック図である。
【００７０】
まず、水晶振動子１１２およびアンテナ３１０が配設された無線式温度計１０の下面を、被検温物の表面に装着する。このように被検温物に装着された無線式温度計１０に対して、携帯型親端末９０から第１パルス信号ＳｐＬ１、第２パルス信号ＳｐＬ２を送信する。この際、携帯型親端末９０を、無線式温度計１０のアンテナ２１０，３１０との間で磁界結合による通信が可能な距離に近づけて第１パルス信号ＳｐＬ１、第２パルス信号ＳｐＬ２送信する。
【００７１】
水晶振動子１１１を駆動させる無線信号である第１パルス信号ＳｐＬ１は、アンテナ２１０で受信され、水晶振動子１１１へ印加される。水晶振動子１１１は、第１パルス信号ＳｐＬ１によって共振し、第１共振信号Ｓｆｐ１を出力する。この第１共振信号Ｓｆｐ１が本発明の検出信号に相当する。第１共振信号Ｓｆｐ１はアンテナ２１０に伝送される。アンテナ２１０に伝送された第１共振信号Ｓｆｐ１は、磁界結合により携帯型親端末９０へ送信される。
【００７２】
ここで、第１共振信号Ｓｆｐ１の周波数ｆｐ１は水晶振動子１１１の感知する温度によって変化し、一つの共振周波数に対して一意に温度が決まっている。具体的には、共振周波数ｆｐ１は、被検温物の熱が熱抵抗率ρＴで厚みＤからなる断熱体５００を介して外気側へ熱伝導された温度に応じて一意に決まり、当該共振周波数ｆｐ１の第１共振信号Ｓｆｐ１が出力される。
【００７３】
水晶振動子１１２を駆動させる無線信号である第２パルス信号ＳｐＬ２は、アンテナ３１０で受信され、水晶振動子１１２へ印加される。水晶振動子１１２は、第２パルス信号ＳｐＬ２によって共振し、第２共振信号Ｓｆｐ２を出力する。この第２共振信号Ｓｆｐ２が本発明の第２検出信号に相当する。第２共振信号Ｓｆｐ２はアンテナ３１０に伝送される。アンテナ３１０に伝送された第２共振信号Ｓｆｐ２は、磁界結合により携帯型親端末９０へ送信される。
【００７４】
ここで、第２共振信号Ｓｆｐ２の周波数ｆｐ２は水晶振動子１１２の感知する温度によって変化し、一つの共振周波数に対して一意に温度が決まっている。具体的には、共振周波数ｆｐ２は、被検温物の温度に応じて一意に決まり、当該共振周波数ｆｐ２の第２共振信号Ｓｆｐ２が出力される。
【００７５】
携帯型親端末９０は、制御部９１、送信信号生成部９２、送受信部９３、親機側アンテナ９４、計測部９５、表示部９６、および操作部９７を備える。制御部９１は、携帯型親端末９０の全体制御を行う。また、制御部９１は、操作部９７からの操作入力に応じて各種の制御処理を実行する。例えば、操作部９７から体温測定の操作入力を受けると、まず、送信信号生成部９２へ第１パルス信号ＳｐＬ１の生成制御を行う。
【００７６】
送信信号生成部９２は、第１パルス信号ＳｐＬ１の生成制御を受けると、第１の周波数の搬送波からなる第１パルス信号ＳｐＬ１を生成し、送受信部９３へ与える。具体的には、第１パルス信号ＳｐＬ１の周波数成分が、無線式温度計１０で検出される温度範囲において、水晶振動子１１１が取り得る周波数帯域と略同じになるように、搬送波周波数は、水晶振動子１１１の共振周波数に近い周波数に設定され、かつ帯域幅を決定するパルス幅（バースト時間）は適当な値に設定されている。
【００７７】
送受信部９３は、第１パルス信号ＳｐＬ１を親機側アンテナ９４に出力する。親機側アンテナ９４は、無線式温度計１０のアンテナ２１０と同様の構造からなり、第１パルス信号ＳｐＬ１を放射する。
【００７８】
親機側アンテナ９４は、無線式温度計１０のアンテナ２１０から放射された第１共振信号Ｓｆｐ１を受信し、送受信部９３へ出力する。送受信部９３は、第１共振信号Ｓｆｐ１を計測部９５へ出力する。
【００７９】
制御部９１は、第１共振信号Ｓｆｐ１の受信を確認後、もしくは送信信号生成部９２へ第１パルス信号ＳｐＬ１の生成制御から一定時間経過後、送信信号生成部９２へ第２パルス信号ＳｐＬ２の生成制御を行う。
【００８０】
送信信号生成部９２は、第２パルス信号ＳｐＬ２の生成制御を受けると、第１の周波数と異なる第２の周波数の搬送波からなる第２パルス信号ＳｐＬ２を生成し、送受信部９３へ与える。具体的には、第２パルス信号ＳｐＬ２の周波数成分が、当該無線式温度計１０で検出する温度範囲において、水晶振動子１１２が取り得る周波数帯域と略同じとなるように、この第２パルス信号ＳｐＬ２の搬送波周波数は、水晶振動子１１２の共振周波数に近い周波数に設定され、かつ帯域幅を決定するパルス幅（バースト時間）は適当な値に設定されている。
【００８１】
親機側アンテナ９４は、無線式温度計１０のアンテナ３１０から放射された第２共振信号Ｓｆｐ２を受信し、送受信部９３へ出力する。送受信部９３は、第２共振信号Ｓｆｐ２を計測部９５へ出力する。
【００８２】
計測部９５は、周波数変換部９５１、温度検出部９５２、および温度算出部９５３を備える。周波数変換部９５１は、ＦＦＴ処理等により、時間軸の第１共振信号Ｓｆｐ１および第２共振信号Ｓｆｐ２からそれぞれ周波数スペクトルを取得する。なお、本実施形態では第１共振信号Ｓｆｐ１と第２共振信号Ｓｆｐ２を別々に読み取る場合を示した。しかしながら、当該無線式温度計１０で検出する温度範囲において、水晶振動子１１１が取り得る周波数帯域と水晶振動子１１２が取り得る周波数帯域をできるだけ近づけておき、かつ、２つの周波数帯域を含む広い周波数成分を持ったパルス信号を送信すれば、一回の送受信で、第１共振信号Ｓｆｐ１と第２共振信号Ｓｆｐ２を同時に測定することができる。
【００８３】
温度検出部９５２には、第１共振信号Ｓｆｐ１の周波数と温度との関係、および第２共振信号Ｓｆｐ２の周波数と温度との関係が予め記憶されている。
【００８４】
温度検出部９５２は、第１共振信号Ｓｆｐ１の周波数スペクトルピークを検出し、当該ピーク周波数ｆｐ１に関連付けられた温度を、外気側温度Ｔｓとして出力する。
【００８５】
温度検出部９５２は、第２共振信号Ｓｆｐ２の周波数スペクトルピークを検出し、当該ピーク周波数ｆｐ２に関連付けられた温度を、表面温度Ｔｂとして出力する。
【００８６】
温度算出部９５３は、外気側温度Ｔｓ、表面温度Ｔｂ、水晶振動子１１１、水晶振動子１１２間の断熱材５００熱抵抗ＲＴと、あらかじめ記憶している被検温物の熱抵抗Ｒｕとに基づいて、次式から被検温物の深部温度Ｔｄを算出する。
【００８７】
Ｔｄ＝Ｔｓ＋（ＲＴ＋Ｒｕ）・（Ｔｂ−Ｔｓ）／ＲＴ
算出された深部温度Ｔｄは、表示部９６および記憶部（図示せず）へ出力される。表示部９６は深部体温測定結果を表示する。
【００８８】
以上のような構成により、携帯型親端末９０により、遠隔で温度検出トリガを与えるだけで、被検温物の深部温度を測定することができる。そして、上述の構成からなる無線式温度計１０を用いることで、従来構成よりも高精度に被検温物の深部温度を測定することができる。さらに、無線式温度計１０と携帯型親端末９０との距離が従来構成よりも遠くても、深部温度を測定することができる。
【００８９】
次に、本発明の第２の実施形態に係る無線式温度計について、図を参照して説明する。図３は、本発明の第２の実施形態に係る無線式温度計１０Ａの構成を示す図である。図３（Ａ）は上面断熱体６１１Ａを省略した状態での上面図、図３（Ｂ）は図３（Ａ），（Ｃ）のＡ−Ａ’面断面図、図３（Ｃ）は下面断熱体６１２Ａを省略した状態での下面図である。
【００９０】
本実施形態の無線式温度計１０Ａは、アンテナ３１０Ａの形状が第１の実施形態に示した無線式温度計１０と異なるものであり、他の構成は同じである。
【００９１】
アンテナ３１０Ａの巻回導体３１１Ａは、無線式温度計１０Ａを平面視して、アンテナ２１０の巻回導体２１１と略全長に亘り重なり合う。また、アンテナ３１０Ａの引き回し導体３１２Ａとアンテナ２１０の引き回し導体２１２とは、無線式温度計１０Ａを平面視して、それぞれ水晶振動子１１１、１１２から同じ方向へ引き出すように形成されている。
【００９２】
このような構成とすることで、アンテナ２１０の巻回導体２１１とアンテナ３１０の巻回導体３１１Ａとの磁界結合をより強くすることができる。これにより、送受信距離、すなわち測定可能な距離を、より長くすることができる。
【００９３】
次に、第３の実施形態に係る無線式温度計について、図を参照して説明する。図４は、本発明の第３の実施形態に係る無線式温度計１０Ｂの構成を示す図である。図４（Ａ）は上面断熱体６１１Ｂを省略した状態での上面図、図４（Ｂ）は図４（Ａ），（Ｃ）のＡ−Ａ’面断面図、図４（Ｃ）は下面断熱体６１２Ｂを省略した状態での下面図である。
【００９４】
本実施形態の無線式温度計１０Ｂは、本発明の第１温度検出手段に相当する水晶振動子と、第２温度検出手段に相当する水晶振動子とがそれぞれ二個配置されたものである。なお、配置個数は、これに限るものではなく、三個以上であってもよく、第１温度検出手段となる水晶振動子の個数と、第２温度検出手段となる水晶振動子の個数とが異なっていてもよい。
【００９５】
無線式温度計１０Ｂは、可撓性、絶縁性を有するとともに、所定の熱抵抗率ρＴを有する断熱体５００Ｂを備える。断熱体５００Ｂは、平面視して（上面側もしくは下面側から見て）円形であり、所定の厚みを有する。断熱体５００Ｂは、被検温物の熱抵抗率と略同じ熱抵抗率ρＴの材質を用いている。
【００９６】
断熱体５００Ｂの下面側には、下面断熱体６１２Ｂが配置されている。下面断熱体６１２Ｂは、可撓性、絶縁性を有し、断熱体５００よりも薄く形成されている。下面断熱体６１２Ｂは、平面視した形状が円形であり、当該平面視した面積が断熱体５００よりも広い。下面断熱体６１２Ｂは、平面視して、当該下面断熱体６１２Ｂの中心と断熱体の５００Ｂの中心とが略一致するように、断熱体５００に取り付けられている。これにより、下面断熱体６１２Ｂは、平面視して、断熱体５００Ｂの外周から所定範囲ではみ出す形状となっている。
【００９７】
水晶振動子１１２，１１４は、下面断熱体６１２Ｂの断熱体５００Ｂが当接する面に配置されている。水晶振動子１１２は、感知温度に応じて所定の共振周波数ｆｐ２で共振する素子であり、水晶振動子１１４は、感知温度に応じて所定の共振周波数ｆｐ４で共振する素子である。水晶振動子１１２，１１４は、本発明の「第２温度検出手段」に相当する。
【００９８】
水晶振動子１１２は、下面断熱体６１２Ｂを平面視して、略中央に配置されている。水晶振動子１１４は、下面断熱体６１２Ｂ上において水晶振動子１１４から所定距離離間した位置に配置されている。水晶振動子１１４は、無線式温度計１０Ｂを平面視して断熱体５００Ｂと重なり合う範囲内に配置されている。水晶振動子１１２と水晶振動子１１４との離間距離は、仕様に応じて適宜設定すればよい。
【００９９】
アンテナ３１０Ｂは、下面断熱体６１２Ｂの水晶振動子１１２，１１４が配置された面に配置されている。アンテナ３１０Ｂは、本発明の「第２アンテナ」に相当する。アンテナ３１０Ｂは、巻回導体３１１Ｂと引き回し導体３１２Ｂとからなる。巻回導体３１１Ｂは、下面断熱体６１２Ｂの外周に沿って巻回する形状の導体であり、下面断熱体６１２Ｂの外周付近に形成されている。巻回導体３１１Ｂの径および巻回数は、水晶振動子１１２の共振周波数帯域、必要とするインダクタンス、利用可能な導体の形成範囲に基づいて適宜設定されている。
【０１００】
巻回導体３１１Ｂの両端は、下面断熱体６１２Ｂの外周と中心とを結ぶように引き回された引き回し導体３１２Ｂによって、水晶振動子１１２に接続されている。
【０１０１】
アンテナ３２０Ｂは、下面断熱体６１２Ｂの水晶振動子１１２，１１４が配置された面に配置されている。アンテナ３２０Ｂは、本発明の「第２アンテナ」に相当する。アンテナ３２０Ｂは、巻回導体３２１Ｂと引き回し導体３２２Ｂとからなる。巻回導体３２１Ｂは、下面断熱体６１２Ｂの外周に沿って巻回する形状の導体であり、下面断熱体６１２Ｂの外周付近に形成されている。この際、巻回導体３２１Ｂは、巻回導体３１１Ｂの内周側に適正な距離をおいて形成されている。巻回導体３２１Ｂの径および巻回数は、水晶振動子１１４の共振周波数帯域、必要とするインダクタンス、利用可能な導体の形成範囲に基づいて適宜設定されている。
【０１０２】
巻回導体３２１Ｂの両端は、下面断熱体６１２Ｂの外周と中心とを結ぶように引き回された引き回し導体３２２Ｂによって、水晶振動子１１４に接続されている。
【０１０３】
なお、このような構成では、無線式温度計１０Ｂを平面視して、アンテナ３１０Ｂとアンテナ３２０Ｂとが重なり合う箇所が存在するが、例えばこの箇所には導体間に、下面断熱体６１２Ｂよりもさらに薄い絶縁膜を配置すればよい。
【０１０４】
断熱体５００Ｂの上面側には、断熱体５０１Ｂが配置されている。断熱体５０１Ｂは、断熱体５００Ｂと同じく円板状である。断熱体５００Ｂは、断熱体５００Ｂと同じ材質からなり、所定の厚みを有する。断熱体５０１Ｂの径は、断熱体５００Ｂの径よりも小さい。断熱体５０１Ｂは、平面視して、当該断熱体５０１Ｂの中心と断熱体５００Ｂの中心とが略一致するように配置されている。
【０１０５】
断熱体５０１Ｂの上面側には、上面断熱体６１１Ｂが配置されている。上面断熱体６１１Ｂは、可撓性、絶縁性を有し、断熱体５００Ｂ，５０１Ｂよりも極薄く形成されている。上面断熱体６１１Ｂは、平面視した形状が円形であり、当該平面視した面積が断熱体５００Ｂよりも広い。基材６６１Ｂは、平面視して、当該上面断熱体６１１Ｂの中心と断熱体の５００Ｂ，５０１Ｂの中心とが略一致するように、断熱体５０１Ｂに取り付けられている。上面断熱体６１１Ｂは、断熱体５０１Ｂの側面、断熱体５００Ｂの断熱体５０１Ｂ側の面、断熱体５００Ｂの側面および下面断熱体６１２Ｂの断熱体５００側の面の全面を覆う形状で形成されている。これにより、断熱体５００Ｂの外周から所定範囲ではみ出す範囲では、上面断熱体６１１Ｂと下面断熱体６１２Ｂとが断熱体を介さずに対向している。この領域では、上面断熱体６１１Ｂと下面断熱体６１２Ｂとの間に、絶縁層６６１Ｂが配置されている。
【０１０６】
水晶振動子１１１は、上面断熱体６１１Ｂの断熱体５０１Ｂが当接する面に配置されている。水晶振動子１１１は、感知温度に応じて所定の共振周波数ｆｐ１で共振する素子であり、本発明の「第１温度検出手段」に相当する。水晶振動子１１１は、上面断熱体６１１Ｂを平面視して、略中央に配置されている。これにより、水晶振動子１１１と水晶振動子１１２は、断熱体５００Ｂ，５０１Ｂ（無線式温度計１０）を平面視して、言い換えれば、断熱体５００Ｂ，５０１Ｂの厚み方向に沿って、重なって配置されている。
【０１０７】
水晶振動子１１３は、上面断熱体６１１Ｂの断熱体５００Ｂが当接する面に配置されている。水晶振動子１１３は、感知温度に応じて所定の共振周波数ｆｐ３で共振する素子であり、本発明の「第１温度検出手段」に相当する。水晶振動子１１３は、上面断熱体６１１Ｂを平面視して、水晶振動子１１１から所定距離離間した位置に配置されている。この際、水晶振動子１１３は、上面断熱体６１１Ｂが断熱体５００Ｂと当接する範囲に配置する。さらに、水晶振動子１１３，１１４は、断熱体５００Ｂ（無線式温度計１０）を平面視して、言い換えれば、断熱体５００Ｂの厚み方向に沿って、重なって配置されている。
【０１０８】
アンテナ２１０Ｂは、上面断熱体６１１Ｂの水晶振動子１１１が配置された面に配置されている。アンテナ２１０Ｂは、本発明の「第１アンテナ」に相当する。アンテナ２１０Ｂは、巻回導体２１１Ｂと引き回し導体２１２Ｂとからなる。巻回導体２１１Ｂは、上面断熱体６１１Ｂの外周に沿って巻回する形状の導体であり、上面断熱体６１１Ｂの外周付近に形成されている。より具体的には、巻回導体２１１Ｂは、上面断熱体６１１Ｂにおける絶縁層６６１Ｂを介して下面断熱体６１２Ｂに当接する範囲に形成されている。巻回導体２１１Ｂの径および巻回数は、水晶振動子１１１の共振周波数帯域、必要とするインダクタンス、利用可能な導体の形成範囲に基づいて適宜設定されている。例えば、図１では、巻回導体２１１Ｂは、２周回している。巻回導体３１１Ｂは、絶縁層６６１Ｂを挟んで巻回導体２１１Ｂと略対称な位置に配置されている。
【０１０９】
このような構成において、水晶振動子１１１の共振周波数と水晶振動子１１２の共振周波数とを略一致させる。これにより、アンテナ２１０Ｂの巻回導体２１１Ｂの形状と、アンテナ３１０Ｂの巻回導体３１１Ｂの形状とを略一致させることができる。
【０１１０】
そして、このように、巻回導体２１１Ｂの形状と巻回導体３１１Ｂの形状とが略一致することにより、図４に示すように、巻回導体２１１Ｂと巻回導体３１１Ｂとは、無線式温度計１０Ｂを平面視して略重なるように、配置することができる。
【０１１１】
巻回導体２１１Ｂの両端は、上面断熱体６１１Ｂの外周と中心とを結ぶように引き回された引き回し導体２１２Ｂによって、水晶振動子１１１Ｂに接続されている。
【０１１２】
アンテナ２２０Ｂは、上面断熱体６１１Ｂの水晶振動子１１１，１１３が配置された面に配置されている。アンテナ２２０Ｂは、本発明の「第１アンテナ」に相当する。アンテナ２２０Ｂは、巻回導体２２１Ｂと引き回し導体２２２Ｂとからなる。巻回導体２２１Ｂは、上面断熱体６１１Ｂの外周に沿って巻回する形状の導体であり、上面断熱体６１１Ｂの外周付近に形成されている。より具体的には、巻回導体２２１Ｂは、上面断熱体６１１Ｂにおける絶縁層６６１Ｂに当接する範囲に形成されている。この際、巻回導体２２１Ｂは、巻回導体２１１Ｂの内周側に適正な距離をおいて形成されている。巻回導体２２１Ｂの径および巻回数は、水晶振動子１１４の共振周波数帯域、必要とするインダクタンス、利用可能な導体の形成範囲に基づいて適宜設定されている。巻回導体２２１Ｂは、絶縁層６６１Ｂを挟んで巻回導体３２１Ｂと略対称な位置に配置されている。
【０１１３】
巻回導体２２１Ｂの両端は、上面断熱体６１１Ｂの外周と中心とを結ぶように引き回された引き回し導体２２２Ｂによって、水晶振動子１１３に接続されている。
【０１１４】
なお、このような構成では、無線式温度計１０Ｂを平面視して、アンテナ２１０Ｂとアンテナ２２０Ｂとが重なり合う箇所が存在するが、例えばこの箇所には導体間に、基材よりもさらに薄い絶縁膜を配置すればよい。
【０１１５】
本実施形態の構成を用いることで、水晶振動子１１１と水晶振動子１１２とは、導体で接続されていない。また、水晶振動子１１３と水晶振動子１１４とも、導体で接続されない。これにより、水晶振動子１１２，１１４を被検温物側とし、水晶振動子１１１，１１３を外気側として深部温度を測定する場合、被検温物からの熱は、水晶振動子１１２と水晶振動子１１１との間では断熱体５００Ｂ，５０１Ｂのみによって伝搬され、水晶振動子１１４と水晶振動子１１３との間では断熱体５００Ｂのみによって伝搬される。これにより、水晶振動子１１１の感知温度と水晶振動子１１２の感知温度と温度差が、導体に影響されず、断熱体５００Ｂ，５０１Ｂのみに依存する。また、水晶振動子１１３の感知温度と水晶振動子１１４の感知温度と温度差が、導体に影響されず、断熱体５００Ｂのみに依存する。したがって、当該断熱体５００Ｂ，５０１Ｂの物性を用いて深部温度を測定する際に、高精度に深部温度を測定することができる。
【０１１６】
また、本実施形態の構成を用いることで、薄い絶縁層６６１Ｂを介してアンテナ２１０Ｂ，３１０Ｂが平面視して重なり合う構造を用いることで、アンテナ２１０Ｂの巻回導体２１１Ｂとアンテナ３１０Ｂの巻回導体３１１Ｂとが磁界結合し、送受信距離を長くすることができる。
【０１１７】
さらに、本実施形態の構成を用いることで、薄い絶縁層６６１Ｂを介してアンテナ２２０Ｂ，３２０Ｂが平面視して重なり合う構造を用いることで、アンテナ２２０Ｂの巻回導体２２１Ｂとアンテナ３２０Ｂの巻回導体３２１Ｂとが磁界結合し、送受信距離を長くすることができる。さらに、巻回導体２１１Ｂ，２２１Ｂ，３２１Ｂ，３２２Ｂが近接することで、それぞれ磁界結合し、送受信距離をさらに長くすることができる。
【０１１８】
また、さらに、本実施形態の構成を用いることで、熱の伝達経路が異なる複数種類の水晶振動子の組からそれぞれ深部温度を検出することができる。これにより、複数の深部温度結果の平均等を用いて、測定誤差を低減し、より高精度に深部温度を測定することができる。
【０１１９】
次に、本発明の第４の実施形態に係る無線式温度計について、図を参照して説明する。図５は、本発明の第４の実施形態に係る無線式温度計のベース部材１０ＣＦの構成を示す図である。図５（Ａ）は上面断熱体６１１Ｃを省略した状態での上面図、図５（Ｂ）は図５（Ａ），（Ｃ）のＡ−Ａ’面断面図、図５（Ｃ）は下面断熱体６１２Ｃを省略した状態での下面図である。図６は、本発明の第４の実施形態に係る無線式温度計１０Ｃの構成を示す図である。図６（Ａ）は上面断熱体６１１Ｃを省略した状態での上面図、図６（Ｂ）は図６（Ａ），（Ｃ）のＡ−Ａ’面断面図、図６（Ｃ）は下面断熱体６１２Ｃを省略した状態での下面図である。なお、水晶振動子１１１，１１２は、上述の各実施形態に示した水晶振動子と同じであるので、詳細な説明は省略する。
【０１２０】
ベース部材１０ＣＦは、可撓性、絶縁性を有する基材６００Ｃを備える。基材６００Ｃは、平面視して円形であり、薄い膜状である。基材６００Ｃの一方主面（図５（Ａ）に示す面）には、水晶振動子１１１、およびアンテナ２１０Ｃが配置されている。水晶振動子１１１は、ベース部材１０ＣＦを平面視した略中央に配置されている。アンテナ２１０Ｃは、巻回導体２１１Ｃと引き回し導体２１２Ｃとからなる。巻回導体２１１Ｃは、基材６００Ｃの外周に沿って巻回する形状の導体であり、基材６００Ｃの外周付近に形成されている。
【０１２１】
水晶振動子１１１と巻回導体２１１Ｃは、引き回し導体２１２Ｃによって接続されている。引き回し導体２１２Ｃは、巻回導体２１１Ｃの径方向に沿って直線状に形成されている。
【０１２２】
基材６００Ｃの他方主面（図５（Ｃ）に示す面）には、水晶振動子１１２、およびアンテナ３１０Ｃが配置されている。アンテナ３１０Ｃは、巻回導体３１１Ｃと引き回し導体３１２Ｃとからなる。巻回導体３１１Ｃは、基材６００Ｃの外周に沿って巻回する形状の導体であり、基材６００Ｃの外周付近に形成されている。巻回導体３１１Ｃは、基材６００Ｃを挟んで、巻回導体２１１Ｃと略対称になるように、配置されている。すなわち、この形状に応じて引き回し導体２１２Ｃの形状（長さ）が決定されている。
【０１２３】
水晶振動子１１２と巻回導体３１１Ｃは、引き回し導体３１２Ｃによって接続されている。引き回し導体３１２Ｃは、基材６００Ｃを平面視して、巻回導体２１２Ｃと重ならない位置に配置されている。引き回し導体３１２Ｃの巻回導体３１１Ｃに接続する端部側となる第１端部領域７７１Ｃは、巻回導体３１１Ｃの径方向に平行に延伸している。引き回し導体３１２Ｃの水晶振動子１１２に接続する端部側の第２端部領域７７２Ｃは、第１端部領域７７１Ｃと平行に延伸している。第１端部領域７７１Ｃと第２端部領域７７２Ｃを接続する中央領域７７３Ｃは、第１端部領域７７１Ｃおよび第２端部領域７７２Ｃとの延伸方向に対して所定角度を成す方向へ延伸している。
【０１２４】
このような構成において、水晶振動子１１２は、図６に示すように断熱体５００Ｃをはさみ込むために、ベース部材１０ＣＦを折り曲げた際に、水晶振動子１１２の位置が断熱体５００Ｃを平面視した略中央になるように、配置されている。すなわち、この形状に応じて引き回し導体３１２Ｃの形状（長さや屈曲形状）が決定されている。
【０１２５】
ベース部材１０ＣＦの一方主面には、上面断熱体６１１Ｃが全面に形成されている。ベース部材１０ＣＦの他方主面には、下面断熱体６１２Ｃが略全面に形成されている。
【０１２６】
ベース部材１０ＣＦには、切り込み７０２が形成されている。切り込み７０２は、ベース部材１０ＣＦを平面視して、水晶振動子１１２および引き回し導体３１２Ｃを囲むように形成されている。この際、切り込み７０２は、引き回し導体３１２Ｃの巻回導体３１１Ｃ側には形成されていない。
【０１２７】
このような形状のベース部材１０ＣＦにより、図６に示すように、円板形状の断熱体５００Ｃをはさみ込むことで、無線式温度計１０Ｃが形成される。より具体的には、ベース部材１０ＣＦの切り込み７０２の内側部分を、巻回導体２１１Ｃ，３１１Ｃが形成された領域から離間する。そして、基材６００Ｃの他方主面側に断熱体５００Ｃを配置し、断熱体５００Ｃの基材６００Ｃと反対側の面に、切り込み７０２の内側部分を配置する。より具体的には、切り込み７０２の内側部分における第１端部領域７７１Ｃを二度折り曲げ、挟み込んだ断熱体５００Ｃの側面に沿わせる。これにより、切り込み７０２の内側部分の第２端部領域７７２Ｃが、断熱体５００Ｃを挟んで、水晶振動子１１１と反対側の面に配置される。
【０１２８】
さらに、切り込み７０２の内側部分における中央領域７７３Ｃを、図６（Ｃ）に示すように折り曲げる。この際、水晶振動子１１２が断熱体５００Ｃの略中央に位置するように、折り曲げる。なお、図示していないが、折り曲げの際に導体同士が接触する可能性がある場合には、導体間に、薄い絶縁層を介在させればよい。
【０１２９】
このような構成により、無線式温度計１０Ｃでは、当該無線式温度計１０Ｃを平面視した中央に水晶振動子１１１，１１２を重ね合わせることができる。これにより、１枚の基材から、上述の第１の実施形態と同様な構成からなる無線式温度計を形成することができる。すなわち、第１の実施形態の無線式温度計１０と同じ作用、効果を得ながら、さらに無線式温度計の構成要素を簡素化することができる。これにより、例えば低コスト化が可能になる。
【０１３０】
なお、本実施形態では、水晶振動子１１２側のみを折り曲げ構造にする例を示したが、水晶振動子１１１側も折り曲げ構造にすることも可能である。ただし、図６に示すように、水晶振動子１１２側を折り曲げ構造とし、被検温物側とすることで、アンテナが外気側となり、アンテナと被検温物との間の距離を離すことが可能となる。このように配置することで、アンテナが受ける被検温物の影響をより小さくすることが可能となる。
【０１３１】
また、切り込み７０２は水晶振動子１１２および引き回し導体３１２Ｃを囲むように形成されているだけでなく、巻回導体３１１Ｃの内側に沿っても形成し、アンテナ中央部をくり抜いた形状とすることも可能である。また、水晶振動子１１２側だけでなく、水晶振動子１１１側も同様に、巻回導体２１１Ｃの内側に沿って形成し、アンテナ中央部をくり抜いた形状とすることも可能である。
【０１３２】
次に、本発明の第５の実施形態に係る無線式温度計について、図を参照して説明する。図７は、本発明の第５の実施形態に係る無線式温度計のベース部材１０ＣＦ’の構成を示す図である。図７は下面断熱体６１２Ｃを省略した状態での下面図である。本実施形態の無線式温度計のベース部材１０ＣＦ’は、第４の実施形態に係る無線式温度計のベース部材１０ＣＦと比較して、切り込み７０２によって分離される内側部分の形状が異なる。他の箇所は、第４の実施形態に係る無線式温度計のベース部材１０ＣＦと同じであるので、異なる箇所のみを説明する。
【０１３３】
切り込み７０２によって分離される内側部分の中央領域７７３Ｃには、基材６００Ｃを切り込んだ凹み７１１Ｃが形成されている。この凹み７１１Ｃは、当該凹み７１１Ｃによって切り込み７０２によって分離される内側部分を折り返すことにより、水晶振動子１１２が、断熱体５００Ｃの略中央に配置されるように、形成されている。また、切り込み７０２によって分離される内側部分の第１端部領域７７１Ｃにも、凹み７１２Ｃが形成されている。この凹み７１２Ｃは、切り込み７０２によって分離される内側部分を当該凹み７１２Ｃを用いて折り曲げることにより、切り込み７０２によって分離される内側部分の一部が断熱体５００Ｃの側面に沿って配置されるように、形成されている。
【０１３４】
このような凹み７１１Ｃ，７１２Ｃを形成することで、無線式温度計の製造時に、水晶振動子１１２の位置を所定位置に配置するための折り曲げ作業が容易になる。また、水晶振動子１１２を、正確に且つ容易に所定位置へ配置することができる。
【０１３５】
次に、第６の実施形態に係る無線式温度計について、図を参照して説明する。図８は、本発明の第６の実施形態に係る無線式温度計のベース部材１０ＣＦ”および無線式温度計１０Ｃ”，１０ＣＣの構成を示す図である。図８（Ａ）は上面断熱体６１１Ｃを省略した状態での上面図である。図８（Ｂ）は図８（Ａ）のＡ−Ａ’面断面図であり、図８（Ｃ）は図８（Ａ）のＢ−Ｂ’面断面図である。図８（Ｄ）は、ベース部材１０ＣＦ”を用いた無線式温度計１０Ｃ”の構成を示す断面図である。図８（Ｅ）は、無線式温度計１０ＣＣの構成を示す断面図である。
【０１３６】
本実施形態の無線式温度計１０Ｃ”およびベース部材１０ＣＦ”では、基材６０１Ｃの上面断熱体６１１Ｃ側に、アンテナ２１０Ｃ，３１０Ｃが形成されたものである。
【０１３７】
基材６０１Ｃは、可撓性、絶縁性を有する。基材６０１Ｃは、平面視して円形であり、薄い膜状である。水晶振動子１１１は、基材６０１Ｃを平面視した略中央に配置されている。水晶振動子１１１は、基材６０１Ｃの上断熱体６１１Ｃに配置されている。水晶振動子１１１は、アンテナ２１０Ｃに接続されている。
【０１３８】
アンテナ２１０Ｃは、巻回導体２１１Ｃと引き回し導体２１２Ｃとからなる。巻回導体２１１Ｃと引き回し導体２１２Ｃとは、第５の実施形態と同じで構造である。巻回導体２１１Ｃと引き回し導体２１２Ｃとは、基材６０１Ｃの上断熱体６１１Ｃに配置されている。
【０１３９】
アンテナ３１０Ｃ”は、巻回導体３１１Ｃ”と引き回し導体３１２Ｃ”とからなる。巻回導体３１１Ｃ”と引き回し導体２１２Ｃ”も、基材６０１Ｃの上断熱体６１１Ｃに配置されている。巻回導体３１１Ｃ”は、巻回導体２１１Ｃの内側に形成されている。この際、巻回導体３１１Ｃ”と巻回導体２１１Ｃとは、それぞれの巻回導体を用いて外部装置と送受信する際に、巻回導体同士が磁界結合する程度に近接して配置されている。引き回し導体３１２Ｃ”は、第４の実施形態と同様に、平面視して途中で屈曲する形状からなる。
【０１４０】
水晶振動子１１２は、上断熱体６１１Ｃの基材６０１Ｃに配置されている。水晶振動子１１２は、アンテナ３１０Ｃ”の引き回し導体３１２Ｃ”に接続されている。
【０１４１】
ベース部材１０ＣＦ”には、切り込み７０２”が形成されている。切り込み７０２”は、ベース部材１０ＣＦ”を平面視して、水晶振動子１１２および引き回し導体３１２Ｃ”を囲むように形成されている。
【０１４２】
そして、このような途中に屈曲部を有する引き回し導体３１２Ｃ”を備えるベース部材１０ＣＦ”を用い、引き回し導体３１２Ｃ”の屈曲部を、図８（Ａ）の波線に示すに２カ所で折り曲げる。この折り曲げにより、切り込み７０２”によって囲まれる内側領域の屈曲した中間部が、図８（Ｄ）に示すように、断熱体５００Ｃの側面に当接する。切り込み７０２”によって囲まれる内側領域の水晶振動子１１２側が、図８（Ｄ）に示すように、断熱体５００Ｃを挟んで、水晶振動子１１１と反対の面に配置される。そして、引き回し導体３１２Ｃ”の形状、折り曲げ位置を適宜設定することで、水晶振動子１１２を、断熱体５００Ｃを挟んで水晶振動子１１１と対向する位置には位置することができる。
【０１４３】
このように、アンテナが平面視して重ならなくても、同一平面上で近接する位置に配置されていれば、上述の実施形態と同様の作用効果を得ることができる。なお、本実施形態では、同一平面上に、複数のアンテナが配置される例を示したが、略同一平面上に複数のアンテナが配置されていれば、これらのアンテナ間の結合を得ることができる。この場合であっても、同様の作用効果を得ることができる。
【０１４４】
また、切り込み７０２”は、ベース部材１０ＣＦ”を平面視して、水晶振動子１１２および引き回し導体３１２Ｃ”を囲むように形成するだけでなく、巻回導体３１１Ｃ”の内側に沿って形成し、アンテナ中央部をくり抜いた形状とすることも可能である。
【０１４５】
さらに、本実施形態の構成では、基材の一方面に全てのアンテナが形成されるので、アンテナ形成工程を容易にすることができる。また、アンテナ２１０Ｃ，３１０Ｃ、引き回し導体２１２Ｃ、３１２Ｃ”を一体的に形成、切り出すことが可能となり、製造工程が簡素となり、また低コストで製造できる。
【０１４６】
なお、図８（Ａ）〜図８（Ｄ）では、水晶振動子１１２側を折り曲げて、断熱体５００Ｃの下面側に回り込ませる構造を示したが、図８（Ｅ）に示すように、水晶振動子１１１側を折り曲げて、断熱体５００Ｃの上面側に回り込ませる構造にしてもよい。この場合、被検温物に当接する面が平坦になる。
【０１４７】
また、本実施形態のような、断熱体を挟んで対向する水晶振動子にそれぞれ接続されるアンテナが同じ面に形成される構成は、以下に説明する他の実施形態に適用することもできる。
【０１４８】
次に、第７の実施形態に係る無線式温度計について、図を参照して説明する。図９は、本発明の第７の実施形態に係る無線式温度計のベース部材１０ＤＦの構成を示す図である。図９（Ａ）は上面断熱体６１１Ｄを省略した状態での上面図、図９（Ｂ）は上面断熱体６１１Ｄを省略した状態での上面図、図９（Ｃ）は図９（Ａ），（Ｂ）のＡ−Ａ’面断面図である。図１０は、本発明の第７の実施形態に係る無線式温度計１０Ｄの構成を示す図である。図１０は無線式温度計１０Ｄの側面断面図である。なお、水晶振動子１１１，１１２は、上述の各実施形態に示した水晶振動子と同じであるので、詳細な説明は省略する。
【０１４９】
ベース部材１０ＤＦは、可撓性、絶縁性を有する基材６０１Ｄを備える。基材６０１Ｄは、平面視して円形であり、薄い膜状である。基材６０１Ｄの一方主面（図９（Ａ）に示す面）には、水晶振動子１１１、およびアンテナ２１０Ｄが配置されている。水晶振動子１１１は、ベース部材１０ＤＦを平面視した略中央に配置されている。アンテナ２１０Ｄは、巻回導体２１１Ｄと引き回し導体２１２Ｄとからなる。巻回導体２１１Ｄは、基材６０１Ｄの外周に沿って巻回する形状の導体であり、基材６０１Ｄの外周付近に形成されている。
【０１５０】
水晶振動子１１１と巻回導体２１１Ｄは、引き回し導体２１２Ｄによって接続されている。引き回し導体２１２Ｄは、巻回導体２１１Ｄの径方向に沿って直線状に形成されている。
【０１５１】
基材６０２Ｄは、基材６０１Ｄにおける水晶振動子１１１およびアンテナ２１０Ｄが配置される面とは反対側の面に配置されている。基材６０２Ｄは、平面視して円形の主体部６２１Ｄと、平面視して長尺状の長尺部６２２Ｄとからなる。主体部６２１Ｄは、平面視して基材６０１Ｄと同じ形状からなる。主体部６２１Ｄは、基材６０１Ｄに重ねられるように配置されている。長尺部６２２Ｄは、長尺方向が主体部６２１Ｄの径方向となるように、主体部６２１Ｄに接続されている。長尺部６２２Ｄの長尺方向の長さは、当該長尺部６２２Ｄを主体部６２１Ｄ側に折り曲げ、断熱体５００Ｄを挟んだ際に、端部が主体部４２１Ｄ、断熱体５００Ｄ、および基材６０１Ｄを平面視した略中央に位置するような長さで形成されている。
【０１５２】
水晶振動子１１２は、長尺部６２２Ｄにおける主体部６２１Ｄに接続する側と反対側の端部付近に配置されている。水晶振動子１１２は、長尺部４２２Ｄの基材６０１Ｄ側の面に配置されている。
【０１５３】
アンテナ３１０Ｄは、巻回導体３１１Ｄと引き回し導体３１２Ｄとからなる。巻回導体３１１Ｄは、基材６０２Ｄの主体部６２１Ｄの外周に沿って巻回する形状の導体であり、主体部６２１Ｄの外周付近に形成されている。巻回導体３１１Ｄの径は、水晶振動子１１２の共振周波数帯域に基づいて設定されている。巻回導体３１１Ｄは、基材６０１Ｄを挟んで巻回導体２１１Ｄと略対称となるように配置されている。
【０１５４】
引き回し導体３１２Ｄは、水晶振動子１１２と巻回導体３１１Ｄとを接続している。引き回し導体３１２Ｄは、長尺部６２２Ｄの基材６０１Ｄ側の面に形成されている。
【０１５５】
基材６０１Ｄの基材６０２Ｄと反対側の面および、基材６０２Ｄの長尺部６２２Ｄの基材６０１Ｄ側の面には、略全面に上面断熱体６１１Ｄが配置されている。
【０１５６】
このような構造のベース部材１０ＤＦにおいて、長尺部６２２Ｄを折り曲げることにより、図１０に示すように、主体部６２１Ｄと長尺部６２２Ｄとの間に断熱体５００Ｄをはさみ込む。この際、断熱体５００Ｄの側面に長尺部６２２Ｄを当接させるように、折り曲げる。これにより、無線式温度計１０Ｄが形成される。ここで、長尺部６２２Ｄの長さおよび水晶振動子１１２の配置位置を上述のようにすることで、水晶振動子１１２は、無線式温度計１０Ｄおよび断熱体５００Ｄを平面視して、水晶振動子１１１と重なる。
【０１５７】
このような構造であっても、上述の第１の実施形態と同様の作用効果を得ることができる。また、上述の第５の実施形態と同様に、簡素な構成で無線式温度計を構成することができる。さらに、本実施形態の構成では、引き回し導体３１２Ｄの基材側が向き合うように折り曲げられるので、折り曲げの際に短絡することがない。これにより、別途絶縁層を設けることなく、引き回し導体の短絡を防止できる。
【０１５８】
なお、本実施形態の上述の説明（図１０）では、断熱体５００Ｄを挟んでいるが、これを省略することも可能である。この場合、基材６０２Ｄの重なり合う領域が断熱体の代わりとなる。これにより、さらに、構成要素を少なくすることもできる。
【０１５９】
次に、第８の実施形態に係る無線式温度計について、図を参照して説明する。図１１は、本発明の第８の実施形態に係る無線式温度計のベース部材１０ＥＦの構成を示す図である。図１１（Ａ）は上面断熱体６１１Ｅを省略した状態での上面図、図１１（Ｂ）は上面断熱体６１１Ｅ、基材６０１Ｅを省略した状態での上面図、図１１（Ｃ）は図１１（Ａ），（Ｂ）のＡ−Ａ’面断面図である。図１２は、本発明の第８の実施形態に係る無線式温度計１０Ｅの構成を示す図である。図１２（Ａ）は上面断熱体６１１Ｅを省略した状態での上面図、図１２（Ｂ）は上面断熱体６１１Ｅを省略した下面図、図１２（Ｃ）は図１１（Ａ），（Ｂ）のＡ−Ａ’面断面図である。なお、水晶振動子１１１，１１２，１１３，１１４は、上述の実施形態に示した水晶振動子と同じであるので、詳細な説明は省略する。
【０１６０】
ベース部材１０ＥＦは、可撓性、絶縁性を有する基材６０１Ｅを備える。基材６０１Ｅは、平面視して円形であり、薄い膜状である。基材６０１Ｅの一方主面（図１１（Ａ）に示す面）には、水晶振動子１１１，１１３、およびアンテナ２１０Ｅ，２２０Ｅが配置されている。水晶振動子１１１，１１３は、ベース部材１０ＥＦを平面視して、所定距離離間して配置されている。水晶振動子１１１は、後述する断熱体５０１Ｅ，５０２Ｅをはさみ込んだ状態で（図１２に示す状態で）、断熱体５０１Ｅ，５０２Ｅの中央に位置するように、配置されている。
【０１６１】
アンテナ２１０Ｅは、巻回導体２１１Ｅと引き回し導体２１２Ｅとからなる。巻回導体２１１Ｅは、基材６０１Ｅの外周に沿って巻回する形状の導体であり、基材６０１Ｅの外周付近に形成されている。
【０１６２】
水晶振動子１１１と巻回導体２１１Ｅは、引き回し導体２１２Ｅによって接続されている。引き回し導体２１２Ｅは、巻回導体２１１Ｅの径方向に沿って直線状に形成されている。
【０１６３】
アンテナ２２０Ｅは、巻回導体２２１Ｅと引き回し導体２２２Ｅとからなる。巻回導体２２１Ｅは、基材６０１Ｅの外周に沿って巻回する形状の導体であり、基材６０１Ｅの外周付近に形成されている。この際、巻回導体２２１Ｅは、巻回導体２１１Ｅの内側に所定距離を離間して形成されている。
【０１６４】
水晶振動子１１３と巻回導体２２１Ｅは、引き回し導体２２２Ｅによって接続されている。引き回し導体２２２Ｅは、巻回導体２２１Ｅの径方向に沿って直線状に形成されている。
【０１６５】
基材６０２Ｅは、基材６０１Ｅにおける水晶振動子１１１，１１３およびアンテナ２１０Ｅ，２２１Ｅが配置される面とは反対側の面に配置されている。基材６０２Ｅは、平面視して円形の主体部６２１Ｅと、平面視して長尺状の長尺部６２２Ｅ，６２３Ｅとからなる。主体部６２１Ｅは、平面視して基材６０１Ｅと同じ形状からなる。主体部６２１Ｅは、基材６０１Ｅに重ねられるように配置されている。
【０１６６】
長尺部６２２Ｅは、長尺方向が主体部６２１Ｅの径方向となるように、主体部６２１Ｅに接続されている。長尺部６２２Ｅの長尺方向の長さは、当該長尺部６２２Ｅを主体部６２１Ｅ側に折り曲げ、断熱体５０１Ｅ，５０２Ｅを挟んだ際に、端部が主体部６２１Ｅ、断熱体５０１Ｅ，５０２Ｅ、および基材６０１Ｅを平面視した略中央に位置するような長さで形成されている。
【０１６７】
水晶振動子１１２は、長尺部６２２Ｅにおける主体部６２１Ｅに接続する側と反対側の端部付近に配置されている。水晶振動子１１２は、長尺部６２２Ｅの基材６０１Ｅ側の面に配置されている。
【０１６８】
アンテナ３１０Ｅは、巻回導体３１１Ｅと引き回し導体３１２Ｅとからなる。巻回導体３１１Ｅは、基材６０２Ｅの主体部６２１Ｅの外周に沿って巻回する形状の導体であり、主体部６２１Ｅの外周付近に形成されている。巻回導体３１１Ｅは、基材６０１Ｅを挟んで巻回導体２１１Ｅと略対称となるように配置されている。
【０１６９】
引き回し導体３１２Ｅは、水晶振動子１１２と巻回導体３１１Ｅとを接続している。引き回し導体３１２Ｅは、長尺部６２２Ｅの基材６０１Ｅ側の面に形成されている。
【０１７０】
長尺部６２３Ｅは、長尺方向が主体部６２１Ｅの径方向となるように、主体部６２１Ｅに接続されている。長尺部６２３Ｅは、基材６０２Ｅを平面視した状態で、主体部６２１Ｅを挟んで、反対側に配置されている。長尺部６２３Ｅの長尺方向の長さは、当該長尺部６２３Ｅを主体部６２１Ｅ側に折り曲げ、断熱体５０１Ｅ，５０２Ｅを挟んだ際に、端部が主体部４２１Ｅ、断熱体５０１Ｅ，５０２Ｅ、および基材６０１Ｅを平面視した略中央に位置するような長さで形成されている。
【０１７１】
水晶振動子１１４は、長尺部６２３Ｅにおける主体部６２１Ｅに接続する側と反対側の端部付近に配置されている。水晶振動子１１４は、長尺部６２３Ｅの基材６０１Ｅ側の面に配置されている。
【０１７２】
アンテナ３２０Ｅは、巻回導体３２１Ｅと引き回し導体３２２Ｅとからなる。巻回導体３２１Ｅは、基材６０２Ｅの主体部６２１Ｅの外周に沿って巻回する形状の導体であり、主体部６２１Ｅの外周付近に形成されている。この際、巻回導体３２１Ｅは、巻回導体３１１Ｅの内側に所定距離を離間して形成されている。巻回導体３２１Ｅは、基材６０１Ｅを挟んで巻回導体２２１Ｅと略対称となるように配置されている。
【０１７３】
引き回し導体３２２Ｅは、水晶振動子１１４と巻回導体３２１Ｅとを接続している。引き回し導体３２２Ｅは、長尺部６２３Ｅの基材６０１Ｅ側の面に形成されている。
【０１７４】
基材６０１Ｅの基材６０２Ｅと反対側の面および、基材６０２Ｅの長尺部６２２Ｅ，６２３Ｅの基材６０１Ｅ側の面には、略全面に上面断熱体６１１Ｅが配置されている。
【０１７５】
ベース部材１０ＥＦには、切り込み７０１Ｅが形成されている。切り込み７０１Ｅは、ベース部材１０ＥＦを平面視して、水晶振動子１１１および引き回し導体２１２Ｅを囲むように形成されている。この際、切り込み７０１Ｅは、引き回し導体２１２Ｅの巻回導体２１１Ｅ側には形成されていない。
【０１７６】
このような構造のベース部材１０ＥＦにおいて、長尺部６２２Ｅ，６２３Ｅを折り曲げることにより、図１２に示すように、主体部６２１Ｅと長尺部６２２Ｅ，６２３Ｅとの間に断熱体５０１Ｅをはさみ込む。この際、断熱体５０１Ｅの側面に長尺部６２２Ｅ，６２３Ｅを当接させるように、折り曲げる。また、切り込み７０１Ｅの内側領域を折り曲げることにより、当該切り込み７０１Ｅの内側領域と断熱体５０１Ｅとの間に断熱体５０２Ｅをはさみ込む。断熱体５０２Ｅは、断熱体５０１Ｅよりも径が小さく、基材６０１Ｅ上の水晶振動子１１３と、無線式温度計１０Ｅを平面視して重ならない程度の大きさである。この構成により、無線式温度計１０Ｅが形成される。
【０１７７】
ここで、長尺部６２２Ｅの長さおよび水晶振動子１１２の配置位置、水晶振動子１１１の配置位置および引き回し導体２１１Ｅの形状、のそれぞれを上述のようにすることで、水晶振動子１１２は、無線式温度計１０Ｅおよび断熱体５０１Ｅ，５０２Ｅを介して、水晶振動子１１１と重なる。また、長尺部６２３Ｅの長さおよび水晶振動子１１４の配置位置を上述のようにすることで、水晶振動子１１４は、無線式温度計１０Ｅおよび断熱体５０１Ｅを介して、水晶振動子１１３と重なる。
【０１７８】
このような構造であっても、上述の第３の実施形態と同様の作用効果を得ることができる。また、上述の第５、第６の実施形態と同様に、簡素な構成で無線式温度計を構成することができる。
【０１７９】
なお、本実施形態では、図１２に示すように、環状導体２１１Ｅ，２２１Ｅ，３１１Ｅ，３２１Ｅが、平面視して断熱体５０１Ｅの外周形状の範囲内に収まる構成を示した。しかしながら、上述の第３実施形態に示すように、環状導体２１１Ｅ，２２１Ｅ，３１１Ｅ，３２１Ｅが、平面視して断熱体５０１Ｅの外周形状の範囲よりも外側に配置されるようにしてもよい。
【０１８０】
なお、上述の切り込みを設けて折り曲げる構造は、上述の所定の実施形態で示したものに限るものではなく、折り曲げた後に、断熱体を挟んで配置される水晶振動子が、当該断熱体を介して略対称に配置できる構造であればよい。例えば、図１３や図１４は、第３の実施形態の派生であるがこれらの構造であってもよい。
【０１８１】
図１３は、本発明の第９の実施形態に係る無線式温度計のベース部材１０ＦＦの構成を示す図である。図１３（Ａ）は上面断熱体を省略した状態での上面図、図１３（Ｂ）は下面断熱体を省略した状態での下面図である。この構成では、水晶振動子１１２，１１４のそれぞれに対して切り込み７０１Ｆ，７０２Ｆが形成されている。切り込み７０１Ｆ．７０２Ｆの平面視した形状は、第３の実施形態に示した切り込み７０２と同じである。このような構造であっても、第３の実施形態と同様の作用効果が得られる。さらに、水晶振動子１１２，１１４の配置を多様化できるため、設計が容易になる。
【０１８２】
図１４は、本発明の第１０の実施形態に係る無線式温度計のベース部材１０ＧＦの構成を示す図である。図１４（Ａ）は上面断熱体を省略した状態での上面図、図１４（Ｂ）は下面断熱体を省略した状態での下面図である。この構成では、引き回し導体３１２Ｇ，３２２Ｇが環状導体３１１Ｇ，３２１Ｇの径方向に対して所定の角度を有するように形成されている。このような構成であっても、切り込み７０１Ｇ，７０２Ｇによる内側領域を折り曲げることによって、断熱体を介して水晶振動子１１１，１１２を対称に配置し、断熱体を介して水晶振動子１１３，１１４を対称に配置することができる。このように、折り返し構造であってもよい。
【０１８３】
なお、上述の各実施形態では水晶振動子を例に説明したが、他の共振子であってもよい。例えば、大きな周波数温度特性を有する圧電共振子であればよく、弾性表面波共振子を用いてもよい。特に、弾性表面波共振子を用いた場合、ＵＨＦ帯などの電波通信用アンテナを小型にすることが可能な高い周波数に共振周波数を合わせることが水晶振動子に比べて容易であるので、電波による無線通信を行う無線式温度計を容易に製造することができる。この際、外部からの無線信号で共振が開始する素子であるとよい。これにより、無線式温度計に共振子の駆動用電源を備えなくてもよく、無線式温度計を小型化することができる。また、ＭＥＭＳ技術を用いてＳｉに形成された共振子であってもよい。また、共振子に替えて、温度センサを備えたＲＦＩＤ−ＩＣを用いてもよい。
【０１８４】
また、上述の各実施形態では、最終形態として無線式温度計を平面視して、巻回導体の巻回形状の内側に水晶振動子を配置する例を示したが、巻回形状の外側に水晶振動子を配置してもよい。ただし、コイル電極の巻回形状の内側に水晶振動子を配置することで、無線式温度計を小型化することができる。
【０１８５】
また、上述の折り曲げを行う無線式温度計では、折り曲げた部分、切り込みの内側部分や長尺部を断熱体や基材に接着もしくは溶着するとよい。これにより、無線式温度計の形状を固定化できる。また、無線式温度計を組み立てる際の組み立て効率を向上させることができる。
【０１８６】
また、上述の実施形態では、平面視して略重なり合うアンテナの形状を略同じにしたが、部分的に同じにしてもよい。また、部分的に重なり合っていなくても良い。ただし、平面視して略重なり合うアンテナの形状を略同じにすることで、親機側アンテナとの結合度を同じにすることができる。この際、平面視して略重なり合うアンテナ間の距離は、少なくとも断熱体の厚みよりも薄い方が好ましい。
【０１８７】
また、上述の折り曲げや折り返しを用いる構成では、外力による折り曲げや折り返しを行う場合を例に示した。しかしながら、熱変形素材を用いることにより、外部からの熱で折り曲げや折り返しを実現することができる。
【０１８８】
なお、上述の各実施形態に示す無線式温度計は、例えば深部体温を測定する深部体温計に利用するとよい。上述の構成とすることで、無線式温度計は小型化が可能であるので、被検温体に違和感を与えることなく、動きを拘束することなく、深部体温を正確に測定することができる。さらに、携帯型親機と無線式温度計との距離を、従来よりも離間しても測定が可能であるので、深部体温の測定が腰囲であり、例えば深部体温の常時モニタリングにも有効に活用することができる。
【符号の説明】
【０１８９】
１：無線式温度測定システム、
１０，１０Ａ，１０Ｂ，１０Ｃ，１０Ｄ，１０Ｅ：無線式温度計、
１０ＣＦ，１０ＣＦ’，１０ＤＦ，１０ＥＦ，１０ＦＦ，１０ＧＦ：ベース部材、
１１１，１１２，１１３，１１４：水晶振動子、
２１０，３１０，３１０Ａ，２１０Ｂ，２２０Ｂ，３１０Ｂ，３２０Ｂ，２１０Ｃ，３１０Ｃ，２１０Ｄ，３１０Ｄ，２１０Ｅ，２２０Ｅ，３１０Ｅ，３２０Ｅ，２１０Ｆ，２２０Ｆ，３１０Ｆ，３２０Ｆ，２１０Ｇ，２２０Ｇ，３１０Ｇ，３２０Ｇ：アンテナ、
２１１，３１１，３１１Ａ，２１１Ｂ，２２１Ｂ，３１１Ｂ，３２１Ｂ，２１１Ｃ，３１１Ｃ，２１１Ｄ，３１１Ｄ，２１１Ｅ，２２１Ｅ，３１１Ｅ，３２１Ｅ，２１１Ｆ，２２１Ｆ，３１１Ｆ，３２１Ｆ，２１１Ｇ，２２１Ｇ，３１１Ｇ，３２１Ｇ：巻回導体、
２１２，２２２，３１２Ａ，２１２Ｂ，２２２Ｂ，３１２Ｂ，３２２Ｂ，２１２Ｃ，３１２Ｃ，２１２Ｄ，３１２Ｄ，２１２Ｅ，２２２Ｅ，３１２Ｅ，３２２Ｅ，２１２Ｆ，２２２Ｆ，３１２Ｆ，３２２Ｆ，２１２Ｇ，２２２Ｇ，３１２Ｇ，３２２Ｇ：引き回し導体、
５００，５００Ｂ，５０１Ｂ，５００Ｃ，５００Ｄ，５０１Ｅ，５０２Ｅ：断熱体、
６００Ｃ，６０１Ｃ，６０１Ｄ，６０２Ｄ，６０１Ｅ，６０２Ｅ，６０１Ｆ，６０１Ｇ：基材、
６６１，６６１Ａ，６６１Ｂ：絶縁層、
６１１，６１１Ａ，６１１Ｂ，６１１Ｃ，６１１Ｄ，６１１Ｅ：上面断熱体、６１２，６１２Ａ，６１２Ｂ，６１２Ｃ：下面断熱体、
６２１Ｄ，６２１Ｅ：主体部、６２２Ｄ，６２２Ｅ，６２３Ｅ：長尺部、
７０２，７０１Ｅ，７０１Ｆ，７０２Ｆ，７０１Ｇ，７０２Ｇ：切り込み、
７１１Ｃ：凹み、
７７１Ｃ：第１端部領域、
７７２Ｃ：第２端部領域、
７７３Ｃ：中央領域、
９０：携帯型親端末、
９１：制御部、
９２：送信信号生成部、
９３：送受信部、
９４：親機側アンテナ、
９５：計測部、
９５１：周波数変換部、
９５２：温度検出部、
９５３：温度算出部、
９６：表示部、
９７：操作部
【図１】
0005618026.tif 000002
【図２】
0005618026.tif 000003
【図３】
0005618026.tif 000004
【図４】
0005618026.tif 000005
【図５】
0005618026.tif 000006
【図６】
0005618026.tif 000007
【図７】
0005618026.tif 000008
【図８】
0005618026.tif 000009
【図９】
0005618026.tif 000010
【図１０】
0005618026.tif 000011
【図１１】
0005618026.tif 000012
【図１２】
0005618026.tif 000013
【図１３】
0005618026.tif 000014
【図１４】
0005618026.tif 000015